(57)【特許請求の範囲】
【請求項１】
音楽再生装置が通信媒体を介してサーバに対し音楽情報の配信を要求する工程と、
前記音楽再生装置が、要求した前記音楽情報と、前記音楽再生装置から前記サーバへ情報を送信するために必要な設定及び条件に関する情報と、が一体化された配信ファイルを前記通信媒体を介して前記サーバから受け取る工程と、
前記音楽再生装置が、前記配信ファイル内の前記音楽情報を再生する工程と、
前記音楽再生装置が、再生した前記音楽情報の再生回数を不揮発性メモリに記録する工程と、
前記音楽再生装置が、前記音楽情報の再生回数を、前記通信媒体を介して前記サーバに送信する工程と、
前記不揮発性メモリに、書込みしきい値電圧よりも高い書込みセルのしきい値電圧分布の中央付近の読み出し電圧を与え、前記不揮発性メモリの所定のアドレスから読み出したデータがランダムなデータ列となるようにし、前記データ列の再現状態から前記音楽再生装置のパワーオフの有無のチェックをする工程と、
を具備することを特徴とする音楽配信方法。
【請求項２】
音楽再生装置が通信媒体を介してサーバに対し音楽情報の配信を要求する工程と、
前記音楽再生装置が、要求した前記音楽情報と、広告情報と、前記音楽再生装置から前記サーバへ情報を送信するために必要な設定及び条件に関する情報と、が一体化された配信ファイルを前記通信媒体を介して前記サーバから受け取る工程と、
前記音楽再生装置が、前記音楽情報の再生に伴って、前記広告情報を再生する工程と、
前記音楽再生装置が、再生した前記音楽情報の再生回数及び前記広告情報の再生回数を不揮発性メモリに記録する工程と、
前記音楽再生装置が、前記音楽情報の再生回数及び前記広告情報の再生回数を前記通信媒体を介して前記サーバに送信する工程と、
前記不揮発性メモリに、書込みしきい値電圧よりも高い書込みセルのしきい値電圧分布の中央付近の読み出し電圧を与え、前記不揮発性メモリの所定のアドレスから読み出したデータがランダムなデータ列となるようにし、前記データ列の再現状態から前記音楽再生装置のパワーオフの有無のチェックをする工程と、
を具備することを特徴とする音楽配信方法。
【請求項３】
音楽再生装置が通信媒体を介してサーバに対し音楽情報の配信を要求する工程と、
前記音楽再生装置が、要求した前記音楽情報を、前記通信媒体を介して前記サーバから受け取る工程と、
前記音楽再生装置が、この音楽再生装置から前記サーバへ情報を送信するために必要な設定及び条件に関する情報、及び複数の広告情報を前記通信媒体を介して前記サーバから受け取る工程と、
前記音楽再生装置が、前記音楽情報を再生する際に、前記複数の広告情報のうち、いずれの広告情報を再生するかを選択する工程と、
前記音楽再生装置が、前記音楽情報の再生に伴って、選択した前記広告情報を再生する工程と、
前記音楽再生装置が、再生した前記音楽情報の再生回数及び前記広告情報の再生回数を不揮発性メモリに記録する工程と、
前記音楽再生装置が、前記音楽情報の再生回数及び前記広告情報の再生回数を前記通信媒体を介して前記サーバに送信する工程と、
前記不揮発性メモリに、書込みしきい値電圧よりも高い書込みセルのしきい値電圧分布の中央付近の読み出し電圧を与え、前記不揮発性メモリの所定のアドレスから読み出したデータがランダムなデータ列となるようにし、前記データ列の再現状態から前記音楽再生装置のパワーオフの有無のチェックをする工程と、
を具備することを特徴とする音楽配信方法。
【請求項４】
前記音楽再生装置が、前記音楽情報の再生回数に応じて、前記サーバから前記通信媒体を介して送信される鑑賞料支払い要求を受信する工程、をさらに具備することを特徴とする請求項１、２、３のいずれか１つに記載の音楽配信方法。
【請求項５】
前記通信媒体はインターネットであることを特徴とする請求項１に記載の音楽配信方法。
【請求項６】
前記通信媒体はインターネットであることを特徴とする請求項２または３に記載の音楽配信方法。
【請求項７】
前記設定及び条件に関する情報は、前記音楽再生装置が前記サーバへ前記音楽情報の再生回数を報告する際に必要なインターネットＩＰアドレスを含むことを特徴とする請求項５に記載の音楽配信方法。
【請求項８】
前記設定及び条件に関する情報は、前記音楽再生装置が前記サーバへ前記音楽情報の再生回数及び前記広告情報の再生回数を報告する際に必要なインターネットＩＰアドレスを含むことを特徴とする請求項６に記載の音楽配信方法。
【請求項９】
前記音楽再生装置は、所定の頻度で前記音楽情報の再生回数を送信することを特徴とする請求項１に記載の音楽配信方法。
【請求項１０】
前記音楽再生装置は、所定の頻度で前記音楽情報の再生回数及び前記広告情報の再生回数を送信することを特徴とする請求項２または３に記載の音楽配信方法。
【請求項１１】
前記配信ファイルは、ヘッダー情報部とこのヘッダー情報部の下に配置された本体情報部とを有し、前記ヘッダー情報部には前記設定及び条件に関する情報、及び前記広告情報が記録され、前記本体情報部には前記音楽情報が記録された構造を持つことを特徴とする請求項２に記載の音楽配信方法。
【請求項１２】
前記本体情報部に記録された前記音楽情報内に前記広告情報を特定できる特定情報が含まれており、前記ヘッダー情報部の前記広告情報と、前記本体情報部の前記音楽情報内に含まれる前記特定情報とが一致した場合に、前記音楽再生装置に対し前記音楽情報の再生が許可されることを特徴とする請求項１１に記載の音楽配信方法。
【請求項１３】
前記音楽情報と前記広告情報との間には関連性がなく、所定の時期、時刻に、所定の広告を優先して再生するように、前記広告情報が選択されていることを特徴とする請求項２に記載の音楽配信方法。
【請求項１４】
前記広告情報は、前記音楽再生装置がその出力形態に応じて、バナー広告、文字出力、音声出力のうち、少なくともいずれか１つを選択できるように、それぞれの出力形態に対応した複数の情報を有することを特徴とする請求項２または３に記載の音楽配信方法。
【請求項１５】
前記音楽再生装置は、送受信装置と携帯型の携帯再生装置を有し、前記送受信装置は、前記配信ファイルを前記サーバから受け取り、前記配信ファイルを前記携帯再生装置に送信し、前記携帯再生装置は、前記配信ファイル内の前記音楽情報及び前記広告情報を再生して、前記音楽情報の再生回数及び前記広告情報の再生回数を前記送受信装置に送信し、前記送受信装置は、受け取った前記音楽情報の再生回数及び前記広告情報の再生回数を前記サーバに送信することを特徴とする請求項２に記載の音楽配信方法。
【請求項１６】
前記広告情報は、前記携帯再生装置がその出力形態に応じて、バナー広告、文字出力、音声出力のうち、少なくともいずれか１つを選択できるように、それぞれの出力形態に対応した複数の情報を有することを特徴とする請求項１５に記載の音楽配信方法。
【請求項１７】
前記広告情報を再生する工程では、前記広告情報の再生が前記音楽情報の再生中に行われることを特徴とする請求項２または３に記載の音楽配信方法。
【請求項１８】
前記広告情報を再生する工程では、前記広告情報の再生が前記音楽情報の再生前あるいは再生後のいずれかに行われることを特徴とする請求項２または３に記載の音楽配信方法。
【請求項１９】
サーバから配信される音楽情報を再生する音楽再生装置において、
通信媒体を介して前記サーバに対し前記音楽情報の配信を要求する手段と、
配信要求した前記音楽情報と、前記音楽再生装置から前記サーバへ情報を送信するために必要な設定及び条件に関する情報と、が一体化された配信ファイルを、前記通信媒体を介して前記サーバから受け取る手段と、
前記配信ファイル内の前記音楽情報を再生する手段と、
再生した前記音楽情報の再生回数を不揮発性メモリに記録する手段と、
前記音楽情報の再生回数を、前記通信媒体を介して前記サーバに送信する手段と、
前記不揮発性メモリに、書込みしきい値電圧よりも高い書込みセルのしきい値電圧分布の中央付近の読み出し電圧を与え、前記不揮発性メモリの所定のアドレスから読み出したデータがランダムなデータ列となるようにし、前記データ列の再現状態から前記音楽再生装置のパワーオフの有無のチェックをする工程と、
を具備することを特徴とする音楽再生装置。
【発明の詳細な説明】
【０００１】
【発明の属する技術分野】
この発明は、インターネット等の通信媒体、あるいはＣＤ、ＤＶＤ等の記録媒体を用いて、音楽などの著作物を使用する消費者に配信する音楽配信方法に関するものである。
【０００２】
【従来の技術】
従来より、インターネットなどを用いて、音楽を鑑賞する消費者（以下、鑑賞者）に、音楽情報を配信する音楽配信方法が存在している。音楽情報とは、音楽を通信媒体により通信できるように、あるいは記録媒体により記録できるように、かつ再生装置により再生できるように、データ化したものである。
【０００３】
【発明が解決しようとする課題】
しかしながら、従来の音楽配信方法は、音楽情報が記録されたコンパクトディスク（ＣＤ）を購入するという概念を電子的に置き換えたものであり、音楽情報は購入物として扱われる。このため、価格的に鑑賞者が期待するものから乖離したものとなっており、ビジネス規模を拡大することができなかった。
【０００４】
また、配信する音楽情報に、コピーを防止するためのコピープロテクションが必要であるため、音楽再生時の使い勝手を損なうものとなっていた。また、配信した音楽情報が不正にコピーされ、音楽の再生に利用されることで著作権者に多大な損害が発生していた。
【０００５】
そこでこの発明は、前記課題を解決するためになされたものであり、鑑賞者の低価格化要求、及び著作権者の権利侵害防止要求を満たすために、音楽の鑑賞実績（再生回数）に応じて、鑑賞者が支払う鑑賞料を徴収すると共に、宣伝広告の広告料収入を得て鑑賞料を低減でき、さらに鑑賞実績に応じて著作権者に対し著作権料を支払うことができる音楽配信方法を提供することを目的とする。
【０００６】
【課題を解決するための手段】
前記目的を達成するために、この発明に係る音楽配信方法は、音楽再生装置が通信媒体を介してサーバに対し音楽情報の配信を要求する工程と、前記音楽再生装置が、要求した前記音楽情報と、前記音楽再生装置から前記サーバへ情報を送信するために必要な設定及び条件に関する情報と、が一体化された配信ファイルを前記通信媒体を介して前記サーバから受け取る工程と、前記音楽再生装置が、前記配信ファイル内の前記音楽情報を再生する工程と、前記音楽再生装置が、再生した前記音楽情報の再生回数を不揮発性メモリに記録する工程と、前記音楽再生装置が、前記音楽情報の再生回数を、前記通信媒体を介して前記サーバに送信する工程と、前記不揮発性メモリに、書込みしきい値電圧よりも高い書込みセルのしきい値電圧分布の中央付近の読み出し電圧を与え、前記不揮発性メモリの所定のアドレスから読み出したデータがランダムなデータ列となるようにし、前記データ列の再現状態から前記音楽再生装置のパワーオフの有無のチェックをする工程と、を具備する。
前記目的を達成するために、この発明に係る音楽配信方法は、音楽再生装置が通信媒体を介してサーバに対し音楽情報の配信を要求する工程と、前記音楽再生装置が、要求した前記音楽情報と、広告情報と、前記音楽再生装置から前記サーバへ情報を送信するために必要な設定及び条件に関する情報と、が一体化された配信ファイルを前記通信媒体を介して前記サーバから受け取る工程と、前記音楽再生装置が、前記音楽情報の再生に伴って、前記広告情報を再生する工程と、前記音楽再生装置が、再生した前記音楽情報の再生回数及び前記広告情報の再生回数を不揮発性メモリに記録する工程と、前記音楽再生装置が、前記音楽情報の再生回数及び前記広告情報の再生回数を前記通信媒体を介して前記サーバに送信する工程と、前記不揮発性メモリに、書込みしきい値電圧よりも高い書込みセルのしきい値電圧分布の中央付近の読み出し電圧を与え、前記不揮発性メモリの所定のアドレスから読み出したデータがランダムなデータ列となるようにし、前記データ列の再現状態から前記音楽再生装置のパワーオフの有無のチェックをする工程と、を具備する。
前記目的を達成するために、この発明に係る音楽配信方法は、音楽再生装置が通信媒体を介してサーバに対し音楽情報の配信を要求する工程と、前記音楽再生装置が、要求した前記音楽情報を、前記通信媒体を介して前記サーバから受け取る工程と、前記音楽再生装置が、この音楽再生装置から前記サーバへ情報を送信するために必要な設定及び条件に関する情報、及び複数の広告情報を前記通信媒体を介して前記サーバから受け取る工程と、前記音楽再生装置が、前記音楽情報を再生する際に、前記複数の広告情報のうち、いずれの広告情報を再生するかを選択する工程と、前記音楽再生装置が、前記音楽情報の再生に伴って、選択した前記広告情報を再生する工程と、前記音楽再生装置が、再生した前記音楽情報の再生回数及び前記広告情報の再生回数を不揮発性メモリに記録する工程と、前記音楽再生装置が、前記音楽情報の再生回数及び前記広告情報の再生回数を前記通信媒体を介して前記サーバに送信する工程と、前記不揮発性メモリに、書込みしきい値電圧よりも高い書込みセルのしきい値電圧分布の中央付近の読み出し電圧を与え、前記不揮発性メモリの所定のアドレスから読み出したデータがランダムなデータ列となるようにし、前記データ列の再現状態から前記音楽再生装置のパワーオフの有無のチェックをする工程と、を具備する。
【０００７】
前記目的を達成するために、この発明に係る音楽再生装置は、サーバから配信される音楽情報を再生する音楽再生装置において、通信媒体を介して前記サーバに対し前記音楽情報の配信を要求する手段と、配信要求した前記音楽情報と、前記音楽再生装置から前記サーバへ情報を送信するために必要な設定及び条件に関する情報と、が一体化された配信ファイルを、前記通信媒体を介して前記サーバから受け取る手段と、前記配信ファイル内の前記音楽情報を再生する手段と、再生した前記音楽情報の再生回数を不揮発性メモリに記録する手段と、前記音楽情報の再生回数を、前記通信媒体を介して前記サーバに送信する手段と、前記不揮発性メモリに、書込みしきい値電圧よりも高い書込みセルのしきい値電圧分布の中央付近の読み出し電圧を与え、前記不揮発性メモリの所定のアドレスから読み出したデータがランダムなデータ列となるようにし、前記データ列の再現状態から前記音楽再生装置のパワーオフの有無のチェックをする工程と、を具備する。
【０００９】
【発明の実施の形態】
以下、図面を参照してこの発明の実施の形態について説明する。
【００１０】
［第１の実施の形態］
まず、この発明の第１の実施の形態の音楽配信システムのハード構成について説明する。図１は、前記第１の実施の形態の音楽配信システムのハード構成を示す図である。
【００１１】
図１に示すように、配信徴収運営会社（以下、運営会社）のサーバ１１は、通信回線を経由してインターネット１２に接続されている。インターネット１２には、通信回線を経由して複数の音楽再生装置１３が接続されている。
【００１２】
音楽再生装置１３は、音楽情報を再生可能な再生機や、画像を表示可能な画像表示部を有する装置であり、例えば、パーソナルコンピュータ（以下、ＰＣ）を指す。
【００１３】
前記サーバ１１は、音楽再生装置１３に音楽の鑑賞料の支払いを要求するデータを送信し、鑑賞者は運営会社へ鑑賞料の支払いを行う。また、前記サーバ１１は、広告主１４に広告料を支払いを要求するデータを送信し、広告主１４は運営会社へ広告料の支払いを行う。そして、運営会社は、音楽情報の著作権者１５へ、著作権料の支払いを行う。
【００１４】
また、図２は、前記音楽配信システムの他のハード構成を示す図である。図１に示すハード構成では、インターネット１２を用いて情報の授受を行う例を示したが、図２に示すように、衛星１６による通信を用いて情報の配信を行ってもよい。また、図示しないが、ＣＤやＤＶＤ等の記録媒体を用いて情報（音楽データ）の配布を行ってもよい。
【００１５】
次に、運営会社に備えられたサーバ１１内の構成について説明する。
【００１６】
図３は、前記サーバ１１の構成を示すブロック図である。
【００１７】
制御部２１は、ＣＰＵなどの演算処理装置からなり、サーバ各部の制御や、様々な演算処理、データの転送、データの一時的な記憶などを行う。出力制御部２２は、インターネット１２を経由して音楽再生装置１３に出力するデータを記憶制御する。入力制御部２３は、インターネット１２を経由して音楽再生装置１３から入力されるデータを記憶制御する。サーバ１１内の記憶手段には、メインプログラム２４、音楽ファイル２５、広告ファイル２６、及び鑑賞者ファイル２７がそれぞれ記憶されている。
【００１８】
前記音楽ファイル２５には、複数の音楽情報が格納されている。音楽情報は、音楽をインターネットなどの通信媒体で伝送可能なように、データ化した情報である。前記広告ファイル２６には、複数の広告情報が格納されている。広告情報は、広告主が提供した広告をインターネットなどの通信媒体で伝送可能なように、データ化した情報である。
【００１９】
前記メインプログラム２４は、制御部２１にて処理されるプログラムであり、例えば、音楽再生装置１３に音楽配信を行うための案内画面を表示させ、案内画面に従った一連の処理を実行するプログラム、音楽ファイル２５内の音楽情報と広告ファイル２６内の広告情報とサーバ１１への接続情報とを一体化した音楽配信ファイルを生成するプログラム、この音楽配信ファイルを音楽再生装置１３に配信するプログラム、さらに鑑賞者ファイル２７内の鑑賞者データを作成管理するプログラムなどから構成されている。前記サーバ１１への接続情報は、音楽再生装置１３からサーバ１１へ情報を送信するための設定や条件に関する情報であり、メインプログラム２４に格納されている。前記設定や条件に関する情報には、例えば、音楽再生装置がサーバへ鑑賞実績などの情報を送信する際に必要なインターネットＩＰアドレスなどが含まれる。
【００２０】
前記鑑賞者ファイル２７には、複数の鑑賞者データが格納されている。鑑賞者データは、鑑賞者個々の情報を記録したものであり、鑑賞者識別番号、音楽情報、広告情報、鑑賞実績（再生回数）などの項目から構成される。この鑑賞者データは、鑑賞者が用いる音楽再生装置１３ごとに作成される。
【００２１】
次に、図１に示す音楽配信システムの動作について説明する。
【００２２】
図４は、前記音楽配信システムにおける情報の送受信を示すブロック図である。
【００２３】
音楽再生装置（鑑賞者）１３は、運営会社のサーバ１１に対して所望する音楽情報の配信を要求する。あるいは、サーバ１１は、音楽再生装置１３に対して、配信可能な音楽情報のリストを送信する。音楽再生装置（鑑賞者）１３は、受信した音楽情報のリストの中から、音楽情報を選択しその配信を要求する。
【００２４】
サーバ１１は、要求された音楽情報に、広告情報とサーバ１１への接続情報を一体化した音楽配信ファイルを作成し、この音楽配信ファイルを音楽再生装置１３に配信する。
【００２５】
次に、音楽再生装置（鑑賞者）１３は、音楽情報を再生して音楽を鑑賞する。このとき、音楽再生装置１３は、音楽情報の再生に伴って、広告情報を再生して広告宣伝行為を行う。広告宣伝行為の例としては、音楽再生装置１３の画面に広告を表示する、また再生する音楽の曲名アナウンスに伴って、広告を音声で出力するなどがある。広告情報の再生を行う時期は、音楽情報の再生前でも良いし、再生後でも良い。また、音楽情報の再生中に、広告情報の再生、例えば画面に広告を表示するなどをしても良い。
【００２６】
音楽再生装置１３は、鑑賞者の希望に応じて音楽情報及び広告情報の再生を繰り返し行う。音楽再生装置１３は、再生された音楽情報の再生回数と、再生された広告情報の再生回数を記録管理する。そして、音楽再生装置１３から、あるいは携帯型の音楽再生端末（以下、携帯端末）が時々接続されるＰＣなどから、所定の頻度で音楽情報及び広告情報の利用状況が運営会社のサーバ１１に送信される。すなわち、音楽再生装置１３からサーバ１１へ、鑑賞実績（再生回数）が報告される。
【００２７】
次に、運営会社のサーバ１１は、広告情報の利用状況（鑑賞実績）に応じて、広告主１４に対して広告料の支払いを要求するデータを送信する。この場合、サーバ１１は、広告主１４が有する受信装置、あるいは広告主１４が有する銀行口座に対して、通信媒体を介して前記支払いを要求するデータを送信してもよい。また、広告主１４に対し、郵便などを用いて広告料の支払いを要求してもよい。広告主１４は、前記利用状況（鑑賞実績）に応じた広告料を運営会社へ支払う。
【００２８】
さらに、運営会社のサーバ１１は、音楽情報及び広告情報の利用状況（鑑賞実績）に応じて、音楽再生装置（鑑賞者）１３に対して鑑賞料の支払いを要求するデータを送信する。この場合、サーバ１１は、音楽再生装置１３、あるいは音楽再生装置１３を所有する鑑賞者が持つ銀行口座に対して、通信媒体を介して前記支払いを要求するデータを送信してもよい。また、鑑賞者に対し、郵便などを用いて鑑賞料の支払いを要求してもよい。鑑賞者は、前記利用状況（鑑賞実績）に応じた鑑賞料を運営会社へ支払う。
【００２９】
運営会社の収入源は、前述したように、音楽再生に伴って行われる広告宣伝による広告料と、鑑賞実績に応じて鑑賞者から支払われる鑑賞料の２つである。そして、運営会社は、音楽情報の利用状況（鑑賞実績）に応じて、前記音楽情報の著作権者１５へ、著作権料の支払いを行う。
【００３０】
また、運営会社のサーバ１１には、予め広告主１４から広告情報が提供され、広告ファイル２６に格納されている。著作権者１５からは音楽情報が提供され、音楽ファイル２５に格納されている。
【００３１】
なお、ここではインターネットを用いて音楽配信ファイルを配信する方法を説明したが、これに限るわけではなく、図２に示すように、衛星を用いて音楽配信ファイルを配信してもよいし、あるいはＣＤ−ＲＯＭ、ＤＶＤ−ＲＯＭなどの記録媒体を用いて音楽配信ファイルを配信してもよい。
【００３２】
次に、運営会社が配信する音楽配信ファイルのファイル構造を説明する。
【００３３】
図５は、前記音楽配信ファイルの第１例のファイル構造を示す図である。
【００３４】
運営会社のサーバ１１が配信する音楽配信ファイル３０は、ファイルのヘッダー情報部３１に、サーバ１１への接続情報（例えば、インターネットアドレスを含む情報）及び広告情報（テキストとして読み出しが可能な情報）が記録され、ヘッダー情報部３１下の本体情報部３２に音楽情報が記録された構造を持つ。
【００３５】
さらに、本体情報部３２には、音楽情報以外に、ヘッダ情報部３１内の情報が特定できるような特定データ、すなわちサーバ１１への接続情報及び広告情報を特定できる特定データが含まれていてもよい。この場合には、ヘッダー情報部３１のサーバ１１への接続情報及び広告情報と、本体情報部３２の特定データとが一致した場合に、音楽情報の再生を許可するアプリケーションの環境下において音楽情報の再生が実施される。なお、この特定データは、スクランブルをかけておくと良い。
【００３６】
音楽配信ファイルをこのようなファイル構造にしておくことにより、サーバ１１への接続情報及び広告情報はヘッダ情報部３１から特にセキュリティのかかっていないアプリケーションで読み出しが可能になる。一方、悪意を持って、ヘッダー情報部３１の情報が改ざんされた場合には、セキュリティ機能を持っている、音楽情報が記録された本体情報部３２の側で再生を拒否することができる。このように、ヘッダー情報部３１の情報が改ざんされていないかのチェックが可能となるように、本体情報部３２にも改ざんが困難な形で前記特定データを持たせておくと良い。
【００３７】
次に、前記音楽配信ファイルの第２例のファイル構造を説明する。
【００３８】
図６は、前記音楽配信ファイルの第２例のファイル構造を示す図である。
【００３９】
サーバ１１が配信する音楽配信ファイル３３は、ファイルのヘッダー情報部３１に、サーバ１１への接続情報及び広告情報が記録されておらず、ヘッダー情報部３１下の本体情報部３２に音楽情報が記録され、この音楽情報内にのみサーバ１１への接続情報及び広告情報が含まれた構造を持つ。
【００４０】
音楽再生装置１３は、音楽情報の再生に伴って、音楽情報に記録された広告情報に従い、広告宣伝行為を行う。さらに、音楽再生装置１３は、音楽情報内に記録されたサーバ１１への接続情報に従って、運営会社のサーバ１１に接続し、音楽情報及び広告情報の鑑賞実績（再生回数）を通知する。
【００４１】
次に、前記音楽配信ファイルのファイル構造の第３例を説明する。
【００４２】
図７は、前記音楽配信ファイルの第３例のファイル構造を示す図である。
【００４３】
サーバ１１が配信する音楽配信ファイル３４には、広告情報が記録されていない。広告情報は、予め音楽再生装置１３に配信し記憶させておく。音楽配信ファイル３４のヘッダー情報部３１下の本体情報部３２には音楽情報が記録されている。
【００４４】
どの音楽情報を再生したときに、どの広告情報を再生するかは、音楽情報と広告情報とを対応づけた対応情報に従って決定される。この対応情報は、音楽配信ファイルとは別に配信する。この際、対応づける音楽情報と広告情報との間には、何らかの関連性があってもよいし、なくてもよい。
【００４５】
音楽情報と広告情報との間に関連性を持たせる例としては、以下のようなものがある。特定の音楽タイトルを好むユーザ層と、広告を行いたい対象のユーザ層とが一致するようにする場合、また、どのようなジャンルの音楽かにより、ジャンルごとに広告情報を対応させる場合などである。
【００４６】
また、音楽情報と広告情報との間に関連性を持たせない例としては、以下のようなものがある。再生する音楽情報に関係なく、ある時期、時刻に特定の広告を優先して流したい場合、また、一日のうちのどの時間帯で聞いているかにより、再生する広告情報を決定する場合などである。
【００４７】
再生される音楽情報と広告情報とが必ずしも関連性を持たない場合であっても、どの音楽情報の鑑賞時にどの広告情報が広告として再生されたかはその都度、音楽再生装置１３にて記録され、適当な頻度で運営会社のサーバ１１に鑑賞実績として報告される。
【００４８】
以上説明したようにこの第１の実施の形態によれば、音楽再生装置１３が音楽情報及び広告情報の再生回数を記録し、所定の頻度で前記再生回数をサーバ１１に送信することにより、音楽の鑑賞実績（再生回数）に応じて、鑑賞者が支払う鑑賞料を徴収できると共に、鑑賞実績に応じて著作権者１５に対し著作権料を支払うことができる。さらに、広告情報の再生回数に応じて広告料収入を得ることにより、鑑賞料を低減できる。
【００４９】
［第２の実施の形態］
次に、この発明の第２の実施の形態の音楽配信システムについて説明する。
【００５０】
この第２の実施の形態では、音楽再生装置として、携帯型の音楽再生端末（以下、携帯端末）を用いた例を説明する。
【００５１】
図８は、第２の実施の形態の音楽配信システムのハード構成を示す図である。
【００５２】
この第２の実施の形態のハード構成は、図１に示した構成において、音楽再生装置（例えば、ＰＣ）１３に換えて携帯端末１７を用いたものであり、その他の構成は前記第１の実施の形態と同様である。
【００５３】
この第２の実施の形態では、音楽情報と広告情報とを１対１で関連づけ、１つの音楽情報の再生に伴って、１つの広告情報が再生されて広告宣伝行為が行われる。なお、音楽情報と広告情報とを、１つの音楽情報と複数の広告情報とで関連づけ、１つの音楽情報の再生に伴って、複数の広告情報が再生されるようにしてもよい。
【００５４】
携帯端末（鑑賞者）１７は、運営会社のサーバ１１に対して所望する音楽情報の配信を要求する。あるいは、サーバ１１は、携帯端末１７に対して、配信可能な音楽情報のリストを送信する。携帯端末（鑑賞者）１７は、受信した音楽情報のリストの中から、所望する音楽情報の配信を要求する。
【００５５】
サーバ１１は、要求された音楽情報に、広告情報とサーバ１１への接続情報を一体化した音楽配信ファイル作成し、この音楽配信ファイルを携帯端末１７に配信する。
【００５６】
次に、携帯端末（鑑賞者）１７は、音楽情報を再生して音楽を鑑賞する。このとき、携帯端末１７は、音楽情報の再生に伴って、広告情報を再生して広告宣伝行為を行う。広告宣伝行為の例としては、携帯端末１７の画面に広告を表示する、また再生する音楽の曲名アナウンスに伴って広告を音声で出力するなどがある。広告情報の再生を行う時期は、音楽情報の再生前でも良いし、再生後でも良い。また、音楽情報の再生中に、広告情報の再生、例えば画面に広告を表示するなどをしても良い。
【００５７】
携帯端末１７は、鑑賞者の希望に応じて音楽情報及び広告情報の再生を繰り返し行う。携帯端末１７は、再生された音楽情報の再生回数と、再生された広告情報の再生回数を記録管理する。そして、携帯端末１７に配信された音楽情報の入れ換えを行う際に、携帯端末１７は音楽情報及び広告情報の利用状況を運営会社のサーバ１１に送信する。すなわち、携帯端末１７からサーバ１１へ、鑑賞実績（再生回数）が報告される。
【００５８】
次に、運営会社のサーバ１１は、広告情報の利用状況（鑑賞実績）に応じて、広告主１４に対して広告料の支払いを要求するデータを送信する。広告主１４は、前記利用状況に応じた広告料を運営会社へ支払う。
【００５９】
さらに、運営会社のサーバ１１は、音楽情報及び広告情報の利用状況（鑑賞実績）に応じて、携帯端末（鑑賞者）１７に対して鑑賞料の支払いを要求するデータを送信する。鑑賞者は、前記利用状況に応じた鑑賞料を運営会社へ支払う。
【００６０】
運営会社の収入源は、前述したように、音楽再生に伴って行われる広告宣伝による広告料と、鑑賞実績に応じて鑑賞者から支払われる鑑賞料の２つである。そして、運営会社は、音楽情報の利用状況（鑑賞実績）に応じて、前記音楽情報の著作権者１５へ、著作権料の支払いを行う。
【００６１】
以上説明したようにこの第２の実施の形態によれば、携帯型の音楽再生端末１７が音楽情報及び広告情報の再生回数を記録し、所定の頻度で前記再生回数をサーバ１１に送信することにより、音楽の鑑賞実績（再生回数）に応じて、鑑賞者が支払う鑑賞料を徴収できると共に、鑑賞実績に応じて著作権者１５に対し著作権料を支払うことができる。さらに、広告情報の再生回数に応じて広告料収入を得ることにより、鑑賞料を低減できる。
【００６２】
［第３の実施の形態］
次に、この発明の第３の実施の形態の音楽配信システムについて説明する。
【００６３】
この第３の実施の形態では、前記第２の実施の形態と同様に、音楽再生装置として、携帯型の音楽再生端末（以下、携帯端末）を用いた例を説明する。
【００６４】
図９は、第３の実施の形態の音楽配信システムのハード構成を示す図である。
【００６５】
この第３の実施の形態のハード構成は、図１に示した構成において、音楽再生装置に換えて、ＰＣなどの送受信装置１８と携帯端末１９を用いたものであり、その他の構成は前記第１の実施の形態と同様である。
【００６６】
送受信装置１８は、運営会社のサーバ１１に対して所望する音楽情報の配信を要求する。あるいは、サーバ１１は、送受信装置１８に対して、配信可能な音楽情報のリストを送信する。送受信装置１８は、受信した音楽情報のリストの中から、所望する音楽情報の配信を要求する。
【００６７】
サーバ１１は、要求された音楽情報と広告情報を一体化した音楽配信ファイル作成し、この音楽配信ファイルとサーバ１１への接続情報を送受信装置１８に配信する。送受信装置１８に接続された携帯端末１９は、送受信装置１８に配信された音楽情報及び広告情報を携帯端末１９内に取り込み記憶する。
【００６８】
次に、携帯端末（鑑賞者）１９は、音楽情報を再生して音楽を鑑賞する。このとき、携帯端末１９は、音楽情報の再生に伴って、広告情報を再生して広告宣伝行為を行う。広告情報の再生を行う時期は、音楽情報の再生前でも良いし、再生後でも良い。また、音楽情報の再生中に、広告情報の再生、例えば画面に広告を表示するなどをしても良い。
【００６９】
携帯端末１９は、鑑賞者の希望に応じて音楽情報及び広告情報の再生を繰り返し行う。そして、携帯端末１９に記録された音楽情報の入れ換えを行うために、携帯端末１９が送受信装置１８に接続された際に、送受信装置１８は携帯端末１９に記録されている音楽情報が何であるかを確認し、携帯端末１９上での音楽情報の滞在時間から、音楽情報及び広告情報の再生回数の推定値を求める。携帯端末１９は、前記推定値を運営会社のサーバ１１に送信する。サーバ１１は、受信した推定値を音楽情報及び広告情報の鑑賞実績と見なす。
【００７０】
次に、運営会社のサーバ１１は、広告情報の利用状況（鑑賞実績）に応じて、広告主１４に対して広告料の支払いを要求するデータを送信する。広告主１４は、前記利用状況に応じた広告料を運営会社へ支払う。
【００７１】
さらに、運営会社のサーバ１１は、音楽情報及び広告情報の利用状況（鑑賞実績）に応じて、携帯端末（鑑賞者）１９に対して鑑賞料の支払いを要求するデータを送信する。鑑賞者は、前記利用状況に応じた鑑賞料を運営会社へ支払う。
【００７２】
運営会社の収入源は、前述したように、音楽再生に伴って行われる広告宣伝による広告料と、鑑賞実績に応じて鑑賞者から支払われる鑑賞料の２つである。そして、運営会社は、音楽情報の利用状況（鑑賞実績）に応じて、前記音楽情報の著作権者１５へ、著作権料の支払いを行う。
【００７３】
この実施の形態では、携帯端末１９は、音楽情報及び広告情報の再生のみを行い、音楽情報及び広告情報の再生回数は記録しない。これにより、携帯端末１９では、再生回数を記録するために必要な負荷を低減できる。
【００７４】
［第４の実施の形態］
次に、この発明の第４の実施の形態の音楽配信システムについて説明する。
【００７５】
この第４の実施の形態では、音楽情報と、運営会社のサーバへの接続情報、及び広告情報を一体化した音楽配信ファイルを用い、音楽再生装置の出力形態に応じて広告の出力内容を変化させる例を説明する。
【００７６】
例えば、音楽情報及び広告情報をＰＣにて再生するときには、広告は画像あるいはインターネットでリンクできるバナー広告で表示する。携帯端末で再生するときには、文字で表示したり、あるいは音声として音楽の冒頭に挿入する。このように、音楽再生装置の出力形態に応じて、広告の出力内容を変化させるなどのバリエーションが取れるようにする。
【００７７】
そこで、まず、音楽再生装置を広告表現能力によりカテゴリー分けする。カテゴリー分けした複数の音楽再生装置に対応した複数の広告情報を作成する。そして、配布される音楽情報、接続情報、及び広告情報を一体化した音楽配信ファイル本体に、前記複数の広告情報を含ませておく。これにより、音楽再生装置の出力形態に応じて、広告の出力内容を変更できるようにする。なお、逆に言えば、このシステムに対応する音楽再生装置には、予め決められたカテゴリーのいずれかに相当する広告表現能力が備わっていなけばならない。
【００７８】
［第５の実施の形態］
次に、この発明の第５の実施の形態の音楽配信システムについて説明する。この第５の実施の形態は、前記第１の実施の形態の変形例であり、図１を用いて説明する。
【００７９】
運営会社のサーバ１１は、サーバ１１への接続情報、及び複数の広告情報を、インターネット１２を経由して音楽の鑑賞を行う鑑賞者の音楽再生装置１３に予め配信し、音楽再生装置１３にこれらを記憶させておく。また、サーバ１１は、音楽情報を音楽再生装置１３に配信する。この場合、音楽情報と広告情報とは、一体化したファイルになっていない。
【００８０】
次に、音楽再生装置（鑑賞者）１３は、音楽情報を再生して音楽を鑑賞する。このとき、音楽再生装置１３は、音楽情報の再生に伴って、広告情報を再生して広告宣伝行為を行う。この広告情報の再生時には、鑑賞者は複数の広告情報のうち、いずれの広告情報を再生するかを選択する。
【００８１】
広告情報を選択できるようにすることにより、運営会社はより質の高い広告を提供する必要が生じる。このため、広告の質を高める競争原理が働き、広告の質が高くなることで、鑑賞者が広告宣伝の受け入れに対して抵抗がなくなり、市場拡大の方向付けに有効である。広告情報の再生を行う時期は、音楽情報の再生前でも良いし、再生後でも良い。また、音楽情報の再生中に、広告情報の再生、例えば画面に広告を表示するなどをしても良い。
【００８２】
この実施の形態の一例としては、以下のような方法がある。
【００８３】
著作権者１５は、自らが持つ著作物である音楽情報を、鑑賞者の音楽再生装置１３に配信する。運営会社のサーバ１１は、複数の広告情報と広告利用状況通知機能に必要な情報を含む広告ファイルを、音楽再生装置１３に配信する。音楽再生装置１３では、音楽情報単独での再生は不可能になっており、運営会社が配信する前記広告ファイルと組み合わされて始めて音楽情報の再生が可能になる。
【００８４】
また、このとき運営会社が提供する広告ファイルは、特定の音楽情報の再生を可能にするだけでなく、すなわち特定の音楽情報の暗号解除などを行うのではなく、広く一般の音楽情報の再生を可能にする。
【００８５】
なお、著作権者が配信する音楽情報は、圧縮方式、圧縮率などのバリエーションはあるものの、運営会社の違いによるファイル形式のバリエーションはないため、同一の音楽として配信される音楽情報のファイル形式のバリエーションは増えないという利点がある。
【００８６】
また、この実施の形態の他の例としては、以下のような方法がある。
【００８７】
運営会社のサーバ１１は、音楽情報の配信を希望する鑑賞者の音楽再生装置１３に専用の再生ソフトを予め配信する。この再生ソフトには、広告利用状況通知機能に必要な情報が含まれている。
【００８８】
運営会社のサーバ１１は、広告情報を音楽再生装置１３に配信する。この広告情報は、音楽情報の再生を可能にする機能（音楽情報の暗号解除機能）を持っていない。
【００８９】
著作権者１５は、自らが持つ著作物である音楽情報を鑑賞者の音楽再生装置１３に配信する。著作権者１５により配信される音楽情報自体は、暗号性を持ち、従来の音楽再生ソフト、例えば圧縮された音楽情報を単純にデコードするものでは再生できない。前記音楽情報は、運営会社が提供する専用の再生ソフトにおいてのみ、再生が可能である。
【００９０】
前記専用の再生ソフトは、広告情報が再生されて広告宣伝が実施されていることを監視し、その結果が運営会社のサーバ１１に通知されていることを確認し、これらを音楽再生の許可条件とする機能を有する。したがって、運営会社のサーバ１１が提供する広告情報には、所定の広告行為を実行できるための情報が含まれていれば良く、広告情報自体に秘匿性は必要ない。
【００９１】
なお、前述したように、広告宣伝が実施された結果を運営会社に通知する機能は再生ソフト側で有する。したがって、どこの運営会社に通知されるかは再生ソフトにより知り得るので、どの通知先が非公認のものであるかのようなインチキ広告は音楽再生ソフトの側で排除することができる。
【００９２】
また、この際に、音楽再生ソフトの動作として、適当な頻度で、別途管理先、例えば音楽再生ソフトの配布側に、どこの運営会社に通知されているかを報告させ、不正を防ぐようにしてもよい。
【００９３】
以上説明したようにこの第５の実施の形態によれば、サーバ１１が、サーバ１１への接続情報及び複数の広告情報を音楽再生装置１３段に配信し、音楽再生装置１３が音楽情報を再生する際に、前記複数の広告情報のうち、いずれの広告情報を再生するかを選択できることにより、広告の質を高める競争原理が働き、広告の質が高くなる。これにより、鑑賞者が広告の受け入れに対して抵抗がなくなり、市場拡大の方向付けに有効である。また、音楽再生装置１３が音楽情報及び広告情報の再生回数を記録し、所定の頻度で前記再生回数をサーバ１１に送信することにより、音楽の鑑賞実績（再生回数）に応じて、鑑賞者が支払う鑑賞料を徴収できると共に、鑑賞実績に応じて著作権者１５に対し著作権料を支払うことができる。さらに、広告情報の再生回数に応じて広告料収入を得ることにより、鑑賞料を低減できる。
【００９４】
［第６の実施の形態］
次に、この発明の第６の実施の形態の音楽配信システムについて説明する。この第６の実施の形態は、前記第３の実施の形態の変形例であり、図９を用いて説明する。
【００９５】
運営会社のサーバ１１は、サーバ１１への接続情報、及び複数の広告情報を、インターネット１２を経由して送受信装置１８に予め配信し、これらを記憶させておく。
【００９６】
また、送受信装置１８は、運営会社のサーバ１１に対して所望する音楽情報の配信を要求する。あるいは、サーバ１１は、送受信装置１８に対して、配信可能な音楽情報のリストを送信する。送受信装置１８は、受信した音楽情報のリストの中から、所望する音楽情報の配信を要求する。サーバ１１は、要求された音楽情報を送受信装置１８に配信する。この場合、音楽情報と広告情報とは、一体化したファイルになっていない。
【００９７】
送受信装置１８に接続された携帯端末１９は、送受信装置１８に配信された音楽情報を携帯端末１９内に取り込み記憶する。このとき、送受信装置１８は、携帯端末１９へ音楽情報を送信するのに伴って、広告情報を再生して広告宣伝行為を行う。
【００９８】
次に、携帯端末１９は、鑑賞者の希望に応じて音楽情報の再生を繰り返し行う。携帯端末１９は、再生された音楽情報の再生回数を記録管理する。そして、携帯端末１９に配信された音楽情報の入れ換えを行う際に、携帯端末１９は音楽情報の再生回数を送受信装置１８に送信する。このとき、送受信装置１８は、携帯端末１９から再生回数を受信するのに伴って、広告情報を再生して広告宣伝行為を行う。
【００９９】
さらに、送受信装置１８は、音楽情報の再生回数及び広告情報の再生回数を運営会社のサーバ１１に送信する。すなわち、携帯端末１９からサーバ１１へ、音楽情報の鑑賞実績（再生回数）が報告されると共に、送受信装置１８からサーバ１１へ、広告情報の再生回数が報告される。以降の動作は、前記第３の実施の形態と同様である。
【０１００】
なお、送受信装置１８による広告情報の再生は、携帯端末１９へ音楽情報を送信するときと、携帯端末１９から音楽情報の再生回数を受信するときの２つ時点で行われたが、いずれか１つの時点で行われるようにしても良い。
【０１０１】
また、これら２つの時点以外の別の機会に広告情報を再生するようにしても良い。この場合には、広告を見ていること、または聞いていることを確認するために、送受信装置１８への操作（クリックなど）を広告が再生されている間に行うようにすると良い。
【０１０２】
この実施の形態は、広告情報の再生に関し、音楽情報の再生中に同時に広告情報を再生するのではなく、音楽情報の再生時とは別の機会に広告情報を再生しても良いとするものである。すなわち、広告を見ること、または聞くことが、音楽を鑑賞することに対して支払う対価であるとするならば、それを音楽鑑賞の前後、あるいはそれ以外の機会に行っても良いとする。
【０１０３】
このような実施の形態では、以下のような効果がある。
【０１０４】
音楽鑑賞時に同時に行える広告は画像が主体となり、音声情報を入れるとしても過大にはできない。しかし、この実施の形態のように、音楽鑑賞の最中以外の機会に広告の再生を行うようにすれば、広告に音声情報を十分に含めることができる。
【０１０５】
音楽鑑賞の最中以外の機会に行う広告としては、例えば、新たな音楽情報（音楽コンテンツ）そのものを別途正規に鑑賞してもらうことを目的とした広告活動などが考えられる。すなわち、新たな音楽情報の予告広告のようなものである。
【０１０６】
また、音楽鑑賞の最中以外の機会に行う広告では、音声が主体の広告活動が可能である。例えば、送受信装置（例えばＰＣ）１８で何らかの作業（画面操作を主体とした作業）を行っているときに、そこで流される音声広告を聞いていると、音楽鑑賞に対する対価が支払われるとすることができる。このような広告の場合、それが音楽情報の広告であるとすると、その音楽情報を気に入れば、その場で次の機会の音楽鑑賞のためにダウンロードするなどの操作に結びつけることも可能になる。このような広告のバリエーションとして、広告実施時にインターネットから同時に入ってくる（ストリームで広告再生する）ものを適用することもできる。つまり、インターネットラジオを聴いていれば、音楽鑑賞に対する対価の支払いを行ったことになるとすることもできる。
【０１０７】
なお、前述した第１〜第６の実施の形態では、音楽情報と広告情報を音楽再生装置に送信し、音楽情報の再生に伴って広告情報を再生させたり、音楽情報の再生時以外の時に広告情報を再生させたりして広告料を徴収したが、広告情報の送信、再生、及び広告料の徴収を行わず、鑑賞者の音楽情報の再生回数に応じた鑑賞料の徴収のみを収入源としてもよい。また、再生回数に応じた鑑賞料の徴収を行わずに、予め定額制や従量制などの会員性とし、会費を徴収するようにしてもよい。
【０１０８】
この発明では、配信される音楽情報自体にコピーされることを防止するコピープロテクションは不要であり、前述した実施の形態に乗っ取った音楽配信システム上では制限なく音楽鑑賞が可能である。また、音楽配信ファイル自体のコピーも、運営会社側からすると、売り上げ増につながることから、むしろ歓迎すべきものとなる。
【０１０９】
また、従来は自分が気に入った音楽情報を広い範囲の友人などに配布することは違反行為であったが、この音楽配信システムでは、音楽の鑑賞量に応じて、その音楽の著作権者に対し著作権料の支払いを行うために、このような配布行為はむしろ歓迎される行為となる。
【０１１０】
[第７の実施の形態］
次に、この発明の第７の実施の形態の音楽配信システムについて説明する。この第７の実施の形態では、鑑賞者（以下会員）が一定の会費を支払うことで、会員が登録した複数の音楽再生装置に音楽配信のサービスを受けることを可能にした会員制で運営されるシステムを述べる。この音楽配信システムは、広告収入なしで会費のみで運営してもよいし、広告収入と会費の併用で運営してもよい。会費は、一定額を月会費として徴収してもよいし、年会費として徴収してもよい。すなわち、この実施の形態は、広告収入なしで、もしくは広告収入との併用で一定月額会費制等で運営する場合に、会員が複数の音楽再生装置を利用できる環境を提案したシステムである。ここでは、広告収入のない会費のみで運営する場合を示す。
【０１１１】
図１０は、前記第７の実施の形態の音楽配信システムのハード構成を示す図である。
【０１１２】
図１０に示すように、配信徴収運営会社（以下、運営会社）のサーバ１１は、通信回線を経由してインターネット１２に接続されている。インターネット１２には、通信回線を経由して複数の音楽再生装置１３が接続されている。
【０１１３】
会員４１は、音楽再生装置１３から、インターネット１２を介して音楽情報の配信を要求する。音楽再生装置１３は、音楽情報を再生可能な再生機や、音楽情報の再生と画像の表示が可能な画像表示部を有する装置であり、例えば、パーソナルコンピュータ（以下、ＰＣ）や、携帯型の音楽再生端末（以下、携帯端末）などを指す。この携帯端末の構成については後で詳述する。
【０１１４】
前記サーバ１１は、インターネット１２による通信を制御しており、音楽再生装置１３からの要求に応じてインターネット１２により音楽情報を音楽再生端末１３に配信する。音楽再生装置１３は、配信された音楽情報を再生し、再生した音楽情報、再生回数及びそれらの再生時刻を鑑賞実績として内部に記録しておく。さらに、音楽再生装置１３は、記録した前記鑑賞実績を所定時間ごとにインターネットを介してサーバ１１に報告する。
【０１１５】
前記サーバ１１は、受信した鑑賞実績に従って、運営会社に著作権料の支払いを要求するデータを送信する。この支払い要求により、運営会社は前記音楽情報の著作権を有する著作権者１５へ、著作権料の支払いを行う。
【０１１６】
ここで、音楽再生装置１３の一例として携帯端末の構成を説明しておく。
【０１１７】
図１１及び図１２は携帯端末の構成を示すブロック図で、図１１は音楽情報ダウンロード時のデータの流れを示し、図１２は音楽情報再生時のデータの流れを示している。
【０１１８】
図１１に示すように、携帯端末１３内のＬＡＮインタフェース４２はインターネット１２に接続されている。ＭＰＵ４３には、ＬＡＮインタフェース４２を介して音楽情報が配信される。ＭＰＵ４３は、受け取った音楽情報を第１記憶部４４に記憶させると共に、ＥＣＣコード発生部４５を介して第２記憶部４６に記憶させる。前記第１記憶部４４は、例えばＲＡＭなどの揮発性メモリからなる。第２記憶部４６は、例えばＮＡＮＤフラッシュメモリなどの不揮発性メモリからなる。
【０１１９】
前記第１記憶部４４は、音楽情報を一時的に格納したり、第２記憶部４６の動作管理及び運用上必要なデータを一時的に格納する。ＥＣＣコード発生部４５は、ＭＰＵ４３から出力された音楽情報に存在する誤りを検出して訂正する。そして、ＥＣＣコード発生部４５により訂正された音楽情報は、第２記憶部４６に記憶される。
【０１２０】
また、携帯端末１３における音楽情報再生時のデータの流れは以下のようになる。
【０１２１】
図１２に示すように、第２記憶部４６に記憶されている音楽情報は、ＥＣＣコード発生部４５を介してＭＰＵ４３に読み出される。ＥＣＣコード発生部４５は、ＥＣＣコードを発生してＭＰＵ４３に出力する。ＭＰＵ４３は、第２記憶部４６から読み出され第１記憶部４４に記憶された音楽情報と、発生したＥＣＣコードとを比較し、必要に応じて第１記憶部４４に記憶された音楽情報を訂正する。
【０１２２】
その後、第１記憶部４４に記憶されていた音楽情報は、ＤＳＰ４７に出力される。ＤＳＰ４７に入力された音楽情報は、ＤＳＰ４７により圧縮データから通常のデータにデコードされる。ＤＳＰ４７から出力された音楽情報は、バッファメモリ４８にて一時的に記憶されると共に、Ｄ／Ａコンバータ４９にてデジタル信号からアナログ信号に変換され再生される。なお、前記ＥＣＣコード発生部４５は、図１１及び図１２に示した携帯端末１３内に設けてもよいし、設けなくてもよい。
【０１２３】
次に、図１０に示す音楽配信システムの動作について説明する。
【０１２４】
図１３は、前記音楽配信システムにおける動作を示すフローチャートである。
【０１２５】
会費制等で運営するこのシステムに加入した会員４１は、複数の音楽再生装置１３を登録することが可能である。音楽再生装置１３の登録数が所定数内で有れば、追加の会費を必要とせず、所定数を超えた場合には、会員は若干の追加料金を支払うものとする。
【０１２６】
まず、会員４１によって登録された音楽再生装置１３は、運営会社のサーバ１１に対して所望する音楽情報の配信を要求する（ステップＳ１）。あるいは、サーバ１１は、音楽再生装置１３に対して、配信可能な音楽情報のリストを送信する。音楽再生装置（会員）１３は、受信した前記音楽情報のリストの中から、音楽情報を選択しその配信を要求する。サーバ１１は、要求された音楽情報をインターネット１２により音楽再生装置１３に配信する（ステップＳ２）。
【０１２７】
次に、会員４１は、音楽再生装置１３により音楽情報を再生して音楽を鑑賞する。このとき、音楽再生装置１３は、音楽情報の再生に伴って、再生した音楽情報とその時刻（以下、再生時刻と記す）を、この装置１３内の記憶部に記録しておく。この再生時刻には、世界各国で使用しても不具合が生じないように、例えば世界標準時が用いられる。詳述すると、音楽再生装置１３は、会員の希望に応じて音楽情報の再生を繰り返し行う。このとき、音楽再生装置１３は、再生された音楽情報とその再生回数、及びそれらの再生が行われた再生時刻などの鑑賞実績を、この音楽再生装置１３内の記憶部に記録する（ステップＳ３）。
【０１２８】
その後、例えばパーソナルコンピュータ（ＰＣ）、携帯端末などの音楽再生装置１３から、前記鑑賞実績が運営会社のサーバ１１に所定の頻度で送信される。すなわち、音楽再生装置１３からサーバ１１へ、音楽情報とその再生回数及びそれらの再生時刻などの鑑賞実績が報告される（ステップＳ４）。
【０１２９】
次に、運営会社のサーバ１１は、音楽情報の鑑賞実績を受け取り、これら鑑賞実績のなかに不正利用があるか否かの調査を行う。例えば、同一会員に登録された複数の音楽再生装置１３から報告された鑑賞実績の再生時刻を比較して、同時刻のものがないかなどの調査を行う（ステップＳ６）。この場合、同時刻のものがあるときは不正利用があったと判断する。そして、不正利用があったと判断される場合には、その会員に対して会費を増加したり、違約金を請求したりする（ステップＳ７）。
【０１３０】
なお、複数の音楽再生装置１３における再生時刻を比較することから、各音楽再生装置１３が同一で正確な時刻を共有していなければならない。そこで、各音楽再生装置１３が持つ時刻が不正確になることを防ぐために、音楽再生装置１３からサーバ１１に鑑賞実績の報告があったときに、サーバ１１からの信号により音楽再生装置１３の時刻を補正する（ステップＳ５）。また、音楽再生を行う携帯端末などからリアルタイムでサーバ１１への接続が不可能な場合には、中継するＰＣなどの装置を介して間接的に携帯端末の時刻を補正するようにしてもよい。
【０１３１】
運営会社の収入源は、前述したように、このシステムの利用契約に従って会員定期的に支払われる会費である。運営会社は、音楽情報の鑑賞実績に応じて、前記音楽情報の著作権者１５へ、著作権料の支払いを行う（ステップＳ８）。
【０１３２】
なお、ここではインターネットを用いて、音楽情報を配信し、鑑賞実績の報告を行う方法を説明したが、これに限るわけではなく、音楽情報の配信、鑑賞実績の報告などを衛星やその他の通信手段を用いて行うようにしてもよい。また、音楽情報の配信は、ＣＤ−ＲＯＭ、ＤＶＤ−ＲＯＭなどの記録媒体を用いて行ってもよい。さらに、この実施の形態で述べた、鑑賞者が一定の会費を支払い、複数の音楽再生装置を利用可能にした会費制等で運営するシステムは、前述した第１〜第６の実施の形態でも同様に適用可能である。
【０１３３】
［第８の実施の形態］
次に、この発明の第８の実施の形態の音楽配信システムについて説明する。この第８の実施の形態では、前記第７の実施の形態の音楽情報配信システムにおいて行われる恐れがある不正を防止する手法を述べる。
【０１３４】
前記第７の実施の形態において行われる不正には、例えば、実際には音楽情報を再生していないのにも関わらず、あたかも再生したかのように、音楽再生装置１３内の記憶部に記録された鑑賞実績に関するデータ（以下鑑賞実績データと記す）を改ざんするという不正が考えられる。これにより、特定の音楽情報の鑑賞実績を増大させ、この特定の音楽情報の著作権を有する著作権者に著作権料の支払いを集中させるというものである。
【０１３５】
このような不正を防ぐには、音楽再生装置１３内の記憶部に記録された鑑賞実績データが、外部のインタフェース（I/F）から書き換えできない仕組みを確立すればよい。しかし、音楽再生装置１３が分解されて、内部の記憶部に直接書き換えが行われた際には、防ぐことが困難となる。
【０１３６】
この対策として、第８の実施の形態では以下（１）〜（４）のような構成をそれぞれ有する。
【０１３７】
（１）  鑑賞実績データを記録する前記記憶部には、音楽再生装置１３の内部に設けられた、揮発性メモリから構成される第１記憶部４４を使用する。この揮発性メモリ４４には、鑑賞実績データ以外の特定データを記録しておく。このように揮発性メモリ４４に特定データを記録しておけば、音楽再生装置１３が分解され電源供給が遮断されて、揮発性メモリ４４に記録された鑑賞実績データが改ざんされた場合においても、特定データを確認できなくなることを利用して、改ざんされた鑑賞実績データが有効データとして認識されないようにできる。これは、分解により電源供給が遮断された場合、揮発性メモリに記憶されていた特定データも消えてしまうからである。
【０１３８】
（２）  前記（１）の手法においては、揮発性メモリ４４が一般のスタティックＲＡＭ（ＳＲＡＭ）、ダイナミックＲＡＭ（ＤＲＡＭ）等である場合、分解、再組込が比較的短い時間内において行われたときには、必ずしも前記揮発性メモリに記憶されていた鑑賞実績データ及び特定データが消えてしまうとは限らない。
【０１３９】
そこで、この（２）の手法では、前記揮発性メモリは、パワーオンの際に、この揮発性メモリが持つ機能として、記憶内容を強制的にクリアする機能を持つものとする。パワーオンの際に、記憶内容をクリアできれば、前記特定データを確認できなくなることを利用して、鑑賞実績データが有効データとして認識されないようにできる。
【０１４０】
（３）  前記（１）、（２）の手法においては、鑑賞実績データの記憶部に揮発性メモリ４４を用いているが、図１１に示した音楽再生装置１３の構成を考えると、この揮発性メモリ４４を音楽情報以外の前記特定データを記憶する領域として使用するには、システム構成上必ずしも適当ではない。システム構成上、もっとも適切で経済的な記憶場所は、音楽情報が格納された、不揮発性メモリから構成される第２記憶部４６である。
【０１４１】
しかし、不揮発性メモリ４６では、電源供給が遮断された場合であっても特定データが消えないため、特定データが確認できるか否かでは、電源供給が遮断されたか否かを判断することはできない。そこで、この（３）の手法では、この不揮発性メモリ４６が形成されたチップ内に、パワーオン時にデータがリセットされる機能をもつ揮発性メモリ領域を所定容量だけ設ける。そして、この不揮発性メモリ４６内の前記揮発性メモリ領域に、特定データを記憶する。これにより、不揮発性メモリ４６への電源供給が遮断されて鑑賞実績データが改ざんされた場合、特定データが消えてしまう。したがって、特定データが確認できるか否かにより、電源供給が遮断されて鑑賞実績データが改ざんされたか否かを判断できる。
【０１４２】
（４）  前記（３）の手法おいては、不揮発性メモリと同一のチップ内に揮発性メモリ領域を設けたが、このような構成は半導体メモリとしては、必ずしも経済的に適当ではない。
【０１４３】
そこで、この（４）の手法では、鑑賞実績データを不揮発性メモリ４６に記録し、さらに不揮発性メモリ４６に、パワーオン時に乱数を発生する機能を持たせることにより、この不揮発性メモリ４６がパワーオフを経験していないかどうかをチェックする。
【０１４４】
前記不揮発性メモリ４６がパワーオフを経験しているか否かのチェックは、以下のような動作にて行われる。
【０１４５】
まず、前記不揮発性メモリ４６が持つ、パワーオン時に乱数を発生する手段について説明する。
【０１４６】
図１４（ａ）は従来のフラッシュメモリにおけるメモリセルのしきい値電圧Ｖth（Ｖ）の分布と通常の読み出し電圧を示すグラフであり、図１４（ｂ）はこの第８の実施の形態の不揮発性メモリにおけるメモリセルのしきい値電圧Ｖth（Ｖ）の分布と乱数発生時の読み出し電圧を示している。
【０１４７】
図１４（ａ）に示すように、書き込みしきい値電圧Ｖwrで書き込まれたメモリセルは、通常、読み出し電圧Ｖreで読み出されるため、読み出したデータが不安定になることはない。乱数発生時には、図１４（ｂ）に示すように、書き込みしきい値電圧Ｖwrより電圧が高く、書き込みセルのしきい値電圧分布の中央付近の読み出し電圧Ｖrrで読み出しを行う。これにより、読み出したデータが“０”または“１”のいずれになるか極めて不安定になる。この結果、乱数を発生させたのと同様なランダムなデータ列を生成することができる。
【０１４８】
図１５（ａ）〜図１５（ｅ）は、パワーオフの有無をチェックするための前記不揮発性メモリにおける一連の動作を示すメモリ構造の概略図である。
【０１４９】
図１５（ａ）に示すように、パワーオン時に、規定のページアドレス５１から乱数発生用の読み出し電圧Ｖrrで所定の記憶領域５２にデータを読み出す。記憶領域５２に読み出したデータを所定のレジスタ５３にコピーする。続いて、図１５（ｂ）に示すように、所定のレジスタ５３に格納されたデータが不揮発性メモリ４６の記憶領域５４にコピーされる。
【０１５０】
その後、前記不揮発性メモリへの電源供給が遮断され、鑑賞実績データの改ざんが行われた後、再度パワーオンされた場合、図１５（ｃ）に示すように、規定のページアドレス５１から乱数発生用の読み出し電圧Ｖrrで記憶領域５２にデータを読み出す。この読み出しでは、しきい値電圧が不安定な領域での読み出しになるので、前回読み出したデータが再現されない。続いて、記憶領域５２に読み出したデータを所定のレジスタ５３にコピーする。
【０１５１】
次に、図１５（ｄ）に示すように、不揮発性メモリ４６の記憶領域５４に記憶されいるデータと、所定のレジスタ５３に記憶されているデータとを比較する。２つのデータが一致している場合は、パワーオフを経験しておらず、不揮発性メモリ４６に記憶された鑑賞実績データは有効であると判断する。一方、図１５（ｅ）に示すように、２つのデータが一致していない場合は、パワーオフを経験しており、不揮発性メモリ４６に記憶された鑑賞実績データは無効であると判断する。
【０１５２】
なお、前述した乱数発生手段では、不揮発性メモリにおいて記憶状態を故意に不安定にしたしきい値電圧分布領域から、読み出しを行うという方法を用いることができる。
【０１５３】
すなわち、書き込みセルのしきい値電圧を読み出し電圧付近に故意に記録しておき、これら書き込みセルを読み出した場合、乱数としての読み出しデータの再現性は極めて低くなる。特に、読み出しデータを多ビットにて構成すれば、前回のパワーオン時に記憶領域５４に記憶された読み出しデータと、今回のパワーオン時にレジスタ５３に記憶される読み出しデータとが一致することは困難となる。
【０１５４】
また、さらに不揮発性メモリからの読み出し結果を不安定にするために、読み出し時における読み出し電圧の電圧ステップを極めて細かいステップとし、異なる読み出し電圧による読み出し結果を利用するようにしてもよい。
【０１５５】
この発明の実施の形態は、インターネットなどの情報通信システムにおける音楽の配信（聞く権利のネット上での購入）方法において、支払いを要求する著作権者と低価格を期待する消費者との溝を埋めるために、利用実績に基づいた著作権料の支払いと、広告料収入を得た鑑賞料の低価格化とを実現するサイトを構築するものである。また、この発明の前記実施の形態は、本発明の要旨を逸脱しない範囲で、各々の組合せ、または種々変形して実施できる。
【０１５６】
【発明の効果】
以上述べたようにこの発明によれば、鑑賞者の低価格化要求、及び著作権者の権利侵害防止要求を満たすために、音楽の鑑賞実績（再生回数）に応じて、鑑賞者が支払う鑑賞料を徴収すると共に、宣伝広告の広告料収入を得て鑑賞料を低減でき、さらに鑑賞実績に応じて著作権者に対し著作権料を支払うことができる音楽配信システムを提供することが可能である。
【図面の簡単な説明】
【図１】この発明の第１の実施の形態の音楽配信システムを示すハード構成図である。
【図２】前記第１の実施の形態の変形例の音楽配信システムを示すハード構成図である。
【図３】前記第１の実施の形態の前記音楽配信システムにおけるサーバの構成を示すブロック図である。
【図４】前記第１の実施の形態の前記音楽配信システムにおける情報の送受信を示すブロック図である。
【図５】前記第１の実施の形態の前記音楽配信システムにおいて配信される音楽配信ファイルの第１例のファイル構造を示す概略図である。
【図６】前記第１の実施の形態の前記音楽配信システムにおいて配信される音楽配信ファイルの第２例のファイル構造を示す概略図である。
【図７】前記第１の実施の形態の前記音楽配信システムにおいて配信される音楽配信ファイルの第３例のファイル構造を示す概略図である。
【図８】この発明の第２の実施の形態の音楽配信システムを示すハード構成図である。
【図９】この発明の第３の実施の形態の音楽配信システムを示すハード構成図である。
【図１０】この発明の第７の実施の形態の音楽配信システムを示すハード構成図である。
【図１１】前記第７の実施の形態の前記音楽配信システムにおける携帯端末の構成を示すブロック図である。
【図１２】前記第７の実施の形態の前記音楽配信システムにおける携帯端末の構成を示すブロック図である。
【図１３】前記第７の実施の形態の前記音楽配信システムにおける動作を示すフローチャートである。
【図１４】（ａ）は従来のフラッシュメモリのしきい値電圧分布と通常の読み出し電圧を示す図であり、（ｂ）はこの発明の第８の実施の形態における不揮発性メモリのしきい値電圧分布と乱数発生時の読み出し電圧を示す図である。
【図１５】前記第８の実施の形態における不揮発性メモリの一連動作を示すメモリ構造の概略図である。
【符号の説明】
１１…サーバ
１２…インターネット
１３…音楽再生装置
１４…広告主
１５…著作権者
１６…衛星
１７…携帯型の音楽再生端末（携帯端末）
１８…送受信装置
１９…携帯型の音楽再生端末（携帯端末）
２１…制御部
２２…出力制御部
２３…入力制御部
２４…メインプログラム
２５…音楽ファイル
２６…広告ファイル
２７…鑑賞者ファイル
３０…音楽配信ファイル
３１…ヘッダー情報部
３２…本体情報部
３３…音楽配信ファイル
３４…音楽配信ファイル
４１…会員
４２…ＬＡＮインタフェース
４３…ＭＰＵ
４４…第１記憶部
４５…ＥＣＣコード発生部
４６…第２記憶部
４７…ＤＳＰ
４８…バッファメモリ
４９…Ｄ／Ａコンバータ
５１…ページアドレス
５２…記憶領域
５３…レジスタ
５４…記憶領域
【図１】
0004053792.tif 000002
【図２】
0004053792.tif 000003
【図３】
0004053792.tif 000004
【図４】
0004053792.tif 000005
【図５】
0004053792.tif 000006
【図６】
0004053792.tif 000007
【図７】
0004053792.tif 000008
【図８】
0004053792.tif 000009
【図９】
0004053792.tif 000010
【図１０】
0004053792.tif 000011
【図１１】
0004053792.tif 000012
【図１２】
0004053792.tif 000013
【図１３】
0004053792.tif 000014
【図１４】
0004053792.tif 000015
【図１５】
0004053792.tif 000016